(57)【要約】【課題】複数の通帳やキャッシュカードを用いて自ら取引処理を完結することを所望するユーザーへの対処を図る。【解決手段】ＡＴＭ１０は、複数の預金口座についての現金取引を行う旨の口座間取引開始入力をユーザーから受けると、複数の預金口座の個々に対応した通帳またはキャッシュカードの少なくともいずれか一方の媒体の入力を受け付ける。この際、ＡＴＭ１０は、媒体から預金口座の特定に必要な媒体情報を読み取る。次いで、ユーザーは、媒体ごとの媒体画像を自ら視認して、その表示された媒体画像を自ら選択した上で、その選択した媒体画像に対応する預金口座について行う現金取引内容と、その現金取引内容の現金取引を許可する際に必要な取引許可情報およびその現金取引に伴う取引金額を入力する。【選択図】  図８
2015022455.tif 000002
【特許請求の範囲】
【請求項１】
自動取引装置であって、
複数の預金口座での口座間取引の開始入力を受け付ける初期画像を、表示画面に表示する初期画像表示部と、
該初期画像においてユーザーの前記口座間取引の開始入力があると、前記複数の預金口座について、各預金口座に対応する媒体の入力を受け付け、該受け付けた媒体から預金口座の特定に必要な媒体情報を読み取る媒体受付部と、
前記受け付けた媒体の媒体画像を、前記受け付けた前記媒体ごとに前記表示画面に表示する媒体画像表示部と、
前記表示画面に表示された複数の前記媒体画像においてユーザーから前記口座間取引を行う預金口座の選択があると、該選択された預金口座で行う取引内容の入力と、該入力を受けた取引内容の取引を許可する際に必要な取引許可情報の入力と、前記入力を受けた取引内容に伴う取引金額の入力とを待機する取引内容入力待機部と、
前記取引許可情報の入力があると、前記選択された預金口座の口座情報データを前記媒体情報に基づいて特定し、前記取引許可情報の真偽を前記口座情報データに基づいて判定し、前記取引許可情報が正しい場合には、前記取引内容に応じて取引処理を行う現金取引処理部とを有する、自動取引装置。
【請求項２】
前記媒体受付部は、前記受け付けた媒体をスキャンした媒体スキャン画像を、前記媒体画像表示部に前記媒体画像として出力する請求項１に記載の自動取引装置。
【請求項３】
前記取引内容入力待機部は、前記選択された前記媒体画像に対応する預金口座について行う前記取引内容として現金払出と現金預入のいずれかの入力を待機し、前記取引内容としての前記現金払出の入力を受けた前記媒体画像に対応する預金口座についての前記取引許可情報の入力を待機する請求項１または請求項２に記載の自動取引装置。
【請求項４】
前記現金取引処理部は、前記取引許可情報の真偽を判定するに当たり、前記現金払出の入力を受けた前記媒体画像に対応する預金口座に特有の暗証番号、または、前記現金払出の入力を受けた前記媒体画像に対応する預金口座から前記選択された他の預金口座への現金預入を許可するよう予め定められた特有の取引処理暗証番号のいずれかを前記取引許可情報とし、前記暗証番号または前記取引処理暗証番号の真偽を判定する請求項３に記載の自動取引装置。
【請求項５】
前記媒体受付部は、前記現金取引処理部により前記取引処理が行われると、前記媒体として受け付けた前記通帳に前記取引処理に基づく現金取引記録を記帳する請求項１ないし請求項４のいずれか一項に記載の自動取引装置。
【発明の詳細な説明】
【技術分野】
【０００１】
本発明は、自動取引装置に関する。
【背景技術】
【０００２】
自動取引装置（Automated Teller Machine; 以下、単にＡＴＭとも称する）は、銀行店舗のみならず、駅や百貨店、ショッピングモール等の機器ブースで広く普及している。近年では、ＡＴＭの利便性向上のため、種々の提案がなされている。その一例として、特許文献１には、普通預金口座からの出金手続、定期預金口座の解約手続、出金金額および解約金額の当座預金口座への入金手続と云った複数の一連の手続を順次遂行する取引手法が提案されている。
【先行技術文献】
【特許文献】
【０００３】
【特許文献１】特公平３−３０９０２号公報
【発明の概要】
【発明が解決しようとする課題】
【０００４】
ＡＴＭのユーザーは、多種多様であり、所望する現金取引にあっても、一つの預金口座からの単なる出金（払出）や当該口座への現金預入（預入）のみならず、複数口座間での現金の入出金取引等も日常的になされている。例えば、あるユーザーにあっては、通帳やキャッシュカードをＡＴＭに複数枚持参して、自分のキャッシュカードを用いた出金操作を行って自分の預金口座から現金を一旦引き出し、その引き出した現金を例えば子供の通帳にＡＴＭにて入金している。こうした現金取引では、実際の現金引き出しと実際の現金預入およびこれに伴う入出金操作を必要とし、入金先が複数あれば、実際の現金預入と入金操作とを繰り返す必要がある。このため、ＡＴＭ利用者の多い煩雑時には、ＡＴＭでの現金取引を躊躇する傾向がある。この場合、ＡＴＭに備え付けの振込処理機能を用いれば、複数の通帳やキャッシュカードは必要ないものの、取引操作の過程や取引結果を視認しがたいという理由で、複数の通帳やキャッシュカードを自ら用いるユーザーが多々いるのが実情である。こうしたユーザーに対しては、取引操作の過程や取引結果を視認できるようにした上で、ユーザー自らで取引処理を完結できるようにすることが望ましい。しかしながら、特許文献１の取引処理装置では、複数の一連の手続を順次遂行できるとは言え、定期口座の解約と云った銀行行員による取引があるため、複数の通帳やキャッシュカードを用いて自ら取引処理を完結することを所望するユーザーへの対処が十分とは云えない。
【課題を解決するための手段】
【０００５】
本発明は、上述の課題の少なくとも一部を解決するためになされたものであり、次の形態として実現することが可能である。本発明の形態は、
自動取引装置であって、
複数の預金口座での口座間取引の開始入力を受け付ける初期画像を、表示画面に表示する初期画像表示部と、
該初期画像においてユーザーの前記口座間取引の開始入力があると、前記複数の預金口座について、各預金口座に対応する媒体の入力を受け付け、該受け付けた媒体から預金口座の特定に必要な媒体情報を読み取る媒体受付部と、
前記受け付けた媒体の媒体画像を、前記受け付けた前記媒体ごとに前記表示画面に表示する媒体画像表示部と、
前記表示画面に表示された複数の前記媒体画像においてユーザーから前記口座間取引を行う預金口座の選択があると、該選択された預金口座で行う取引内容の入力と、該入力を受けた取引内容の取引を許可する際に必要な取引許可情報の入力と、前記入力を受けた取引内容に伴う取引金額の入力とを待機する取引内容入力待機部と、
前記取引許可情報の入力があると、前記選択された預金口座の口座情報データを前記媒体情報に基づいて特定し、前記取引許可情報の真偽を前記口座情報データに基づいて判定し、前記取引許可情報が正しい場合には、前記取引内容に応じて取引処理を行う現金取引処理部とを有する。
【発明の効果】
【０００６】
上記形態の自動取引装置によれば、複数の媒体を用いて自ら取引処理を完結することを所望するユーザーに対して、そのユーザーが所望する複数の預金口座間の現金取引を、その取引過程をユーザーに視認させた上で、実行できるので、利便性や汎用性が高まる。
上記した以外の課題、並びにこれを解決する構成および効果は、以下の実施形態の説明により明らかにされる。
【図面の簡単な説明】
【０００７】
【図１】本発明の一実施形態として自動取引装置１０（ＡＴＭ１０）を含む現金取引処理システム１００の概略構成を示す説明図である。
【図２】通帳ＢＴやキャッシュカードＢＣの受入と排出に関与する機器構成とＡＴＭ１０の機能的な構成とを概略的に示す説明図である。
【図３】ＡＴＭ１０において制御部４０が実行する複数口座間取引処理の全容を示すフローチャートである。
【図４】顧客パネル２０における初期画像の表示の様子を示す説明図である。
【図５】口座間取引第１処理に含まれる処理を示すフローチャートである。
【図６】顧客パネル２０における媒体挿入案内画像への画像変遷の様子を示す説明図である。
【図７】口座間取引第２処理に含まれる処理を示すフローチャートである。
【図８】顧客パネル２０における取引内容入力案内画像への画像変遷の様子を示す説明図である。
【図９】顧客パネル２０におけるカード挿入案内画像への画像変遷の様子を示す説明図である。
【図１０】顧客パネル２０における暗証番号入力案内画像への画像変遷の様子を示す説明図である。
【図１１】顧客パネル２０における取引金額入力案内画像への画像変遷の様子を示す説明図である。
【図１２】顧客パネル２０における改めての取引内容入力案内画像の表示の様子を示す説明図である。
【図１３】口座間取引第３処理と口座間取引終了処理に含まれる処理を示すフローチャートである。
【図１４】口座間取引第３処理に伴う顧客パネル２０における取引内容一覧画像の表示の様子を示す説明図である。
【図１５】入出金金額が不一致の場合の取引内容一覧画像の一例を示す説明図である。
【図１６】口座間取引用暗証番号の設定の様子を示す説明図である。
【発明を実施するための形態】
【０００８】
以下、本発明の実施の形態について、図面に基づき説明する。
Ａ．第１実施形態：
Ａ−１．全体構成：
Ａ−２．通帳・カード受入関連構成：
Ａ−３．口座間現金取引処理：
【０００９】
Ａ−１．全体構成：
図１は本発明の一実施形態として自動取引装置１０（ＡＴＭ１０）を含む現金取引処理システム１００の概略構成を示す説明図である。図示するように、現金取引処理システム１００は、ＡＴＭ１０と、各金融機関ごとのホストコンピューターＨＣＡ〜ＨＣＤ等とをネットワークＮＴを介して接続して備える。ホストコンピューターＨＣＡ〜ＨＣＤ等は、サーバとして機能し、ＡＴＭ１０からの情報紹介に対応して、必要なデータ、例えば現金の入出金取引の際の記帳項目やその記帳フォーマット等のデータや、入出金取引の対象とされた預金口座の残高や当該口座に特有の暗証番号等の口座情報データをネットワークＮＴを介してＡＴＭ１０に出力する。
【００１０】
ＡＴＭ１０は、銀行店舗のみならず、駅や百貨店、ショッピングモール等の機器ブースに設置され、ユーザーの操作に基づいて入出金等の所定の現金取引を行なうよう構成されている。こうしたＡＴＭ１０は、ユーザーと対面する装置前面に、通帳挿入孔１２と、カード挿入孔１４と、取引明細排出口１５と、硬貨投入口１６と、紙幣投入口１８と、顧客パネル２０とを備える。ＡＴＭ１０は、ユーザーが通帳挿入孔１２に挿入した通帳ＢＴを後述の通帳機構部７０で受け付けると共に、ユーザーがカード挿入孔１４に挿入したキャッシュカードＢＣを後述のカード機構部８０で受け付ける。また、ＡＴＭ１０は、後述の明細票機構部５４が発行した取引明細書を、必要に応じて取引明細排出口１５から排出し、ユーザーに払い出す。通帳機構部７０とカード機構部８０の構成とその機能については、後述する。顧客パネル２０は、後述の制御部４０の制御を受けて駆動し、ユーザーへのガイダンスメッセージや入力受付画像等を表示すると共に、ユーザーの指等による接触位置の座標を取得するポインティングデバイスとして構成される。そして、この顧客パネル２０は、指等の接触によるユーザーからの指示入力を表示画像で受け付け、表示画像におけるユーザー操作を、データ変換して後述の制御部４０に出力する。硬貨投入口１６と紙幣投入口１８は、それぞれユーザーからの硬貨や紙幣の受け入れと排出を行うが、本発明の要旨と直接関係しないので、その詳細な説明については、これを省略する。
【００１１】
Ａ−２．通帳・カード受入関連構成：
図２は通帳ＢＴやキャッシュカードＢＣの受入と排出に関与する機器構成とＡＴＭ１０の機能的な構成とを概略的に示す説明図である。ＡＴＭ１０は、制御部４０と、紙幣・硬貨搬送機器群５０と、紙幣・硬貨機構部５２と、明細票機構部５４と、回線接続部５６と、通帳機構部７０と、カード機構部８０とを備える。なお、保守要員向けの表示を行う係員パネルを有するようにしてもよい。
【００１２】
紙幣・硬貨搬送機器群５０は、硬貨投入口１６や紙幣投入口１８から投入された紙幣や硬貨を紙幣・硬貨機構部５２に搬送したり、紙幣・硬貨機構部５２から上記の両投入口に紙幣や硬貨を搬出して、ユーザーに引き渡す。紙幣・硬貨機構部５２は、図示しない硬貨カセットや紙幣カセットを備え、預入硬貨や紙幣の保管、保管炭硬貨や紙幣のユーザーへの払出等を行う。紙幣・硬貨搬送機器群５０と紙幣・硬貨機構部５２とは、制御部４０の制御を受けて駆動して、上記のように搬送や払出等を行うが、本発明の要旨と直接関係しないので、その詳細な説明については、これを省略する。
【００１３】
明細票機構部５４は、制御部４０の制御を受けて駆動し、ユーザーの現金取引がキャッシュカードＢＣで行われた場合に、その取引内容を帳票に印字して、印字済みの明細票を取引明細排出口１５からユーザーに排出する。回線接続部５６は、ＬＡＮカードなどで構成されて、ネットワークＮＴに接続してホストコンピューターＨＣＡ〜ＨＣＤ等との間で、各種データの送受信を行なう。
【００１４】
制御部４０は、ＣＰＵやＲＯＭ、ＲＡＭ等を有するコンピューターとして構成され、ＡＴＭ１０の各種制御を統括する。制御部４０は、予め記憶したプログラムおよび後述の複数口座間取引処理を実行することで、口座間取引表示制御部４２や、口座間取引データ管理部４４、口座間取引処理部４６を構築する。口座間取引表示制御部４２は、顧客パネル２０の表示画像を表示制御し、ユーザーのボタン操作の案内、ボタン操作の待機を図る。口座間取引データ管理部４４は、ユーザーのボタン操作に応じた各種データを一時的に記憶したり、各種データの解析等を行う。口座間取引処理部４６は、ユーザーがボタン操作を通して所望する複数口座間の取引に関するデータ処理を実行する。これらの詳細については、後述の複数口座間取引処理において詳述する。
【００１５】
通帳機構部７０は、通帳搬送機構７１と、通帳保管カセット７２と、カセット内通帳搬送機構７３と、データ読取機構７４と、通帳スキャナー７５と、通帳記帳機構７６とを備える。通帳搬送機構７１は、搬送ローラー等を制御部４０の制御を受けて駆動し、通帳挿入孔１２に挿入された通帳ＢＴを通帳保管カセット７２まで搬送したり、通帳保管カセット７２が保管していた通帳ＢＴを通帳挿入孔１２まで搬送してユーザーに払い出す。通帳保管カセット７２は、ユーザーによる複数の預金口座間の現金取引に使用される複数の通帳ＢＴを、通帳挿入孔１２への投入順に受け入れて保管する。カセット内通帳搬送機構７３は、図示しない搬送ベルトやクリップ等を制御部４０の制御を受けて駆動し、通帳搬送機構７１の末端まで搬送された通帳ＢＴを、投入順に通帳保管カセット７２の内部に運び入れると共に、通帳保管カセット７２に保管されている通帳ＢＴを、上から一つずつ通帳搬送機構７１に受け渡す。
【００１６】
データ読取機構７４は、通帳ＢＴが磁気ストライプ或いはＩＣカードの形態で記憶している口座特有の情報、具体的には、通帳ＢＴに対応する預金口座に特有の情報であって、当該口座の特定に必要な金融機関コード、支店コード、口座番号、口座保有者氏名等の口座情報を通帳ＢＴから読み取り、その読み取った口座情報を制御部４０に出力する。通帳スキャナー７５は、ＣＣＤ（Charge-Coupled Device ）を用いて構成され、通帳搬送機構７１にて実際に搬送されている通帳ＢＴの表紙をスキャンして、そのスキャン画像を制御部４０に出力する。通帳記帳機構７６は、制御部４０の制御を受けて駆動し、ユーザーから受け付けた通帳ＢＴに対して、通帳搬出時に入出金金額や取引日時を記帳する。この通帳記帳のフォーマットは、金融機関ごとに若干相違することから、制御部４０は、データ読取機構７４で読み取った口座情報に基づいて、通帳発行の金融機関のホストコンピューターＨＣＡ等から記帳フォーマット情報を入手し、その入手した記帳フォーマットにより、通帳記帳機構７６の通帳記帳を実行制御する。
【００１７】
カード機構部８０は、カード搬送機構８１と、カード保管カセット８２と、カセット内カード搬送機構８３と、データ読取機構８４と、カセットスキャナー８５とを備える。カード搬送機構８１は、搬送ローラー等を制御部４０の制御を受けて駆動し、カード挿入孔１４に挿入されたキャッシュカードＢＣをカード保管カセット８２まで搬送したり、カード保管カセット８２が保管していたキャッシュカードＢＣをカード挿入孔１４まで搬送してユーザーに払い出す。カード保管カセット８２は、ユーザーによる複数の預金口座間の現金取引に使用される複数のキャッシュカードＢＣを、カード挿入孔１４への投入順に受け入れて保管する。カセット内カード搬送機構８３は、図示しない搬送ベルトやクリップ等を制御部４０の制御を受けて駆動し、カード搬送機構８１の末端まで搬送されたキャッシュカードＢＣを、投入順にカード保管カセット８２の内部に運び入れると共に、カード保管カセット８２に保管されているキャッシュカードＢＣを、上から一つずつカード搬送機構８１に受け渡す。
【００１８】
データ読取機構８４は、キャッシュカードＢＣが磁気ストライプ或いはＩＣカードの形態で記憶している口座特有の上記の口座情報をキャッシュカードＢＣから読み取り、その読み取った口座情報を制御部４０に出力する。カセットスキャナー８５は、ＣＣＤを用いて構成され、カード搬送機構８１にて実際に搬送されているキャッシュカードＢＣのカード表面をスキャンして、そのスキャン画像を制御部４０に出力する。
【００１９】
Ａ−３．口座間現金取引処理：
図３はＡＴＭ１０において制御部４０が実行する複数口座間取引処理の全容を示すフローチャートである。まず、この図３を用いて、複数口座間取引処理の全容について説明し、その後、処理の詳細を説明する。制御部４０は、複数口座間の取引処理を実行するに当たり、まず、口座間取引表示制御部４２により顧客パネル２０を制御して、当該パネルに初期画像を表示し、ユーザーのボタン押圧操作を待機する（ステップＳ１００）。図４は顧客パネル２０における初期画像の表示の様子を示す説明図である。
【００２０】
図４の初期画像は、顧客パネル２０の画像表示域２０ＶＷには表示画像を含まず、その下段のボタン表示域２０ＢＷには各種ボタンの画像を表示した画像であり、制御部４０は、ステップＳ１００にて、この初期画像を顧客パネル２０に表示する。制御部４０は、ＡＴＭ１０の取引が未実行の間に図４の初期画像を所定時間ごとに繰り返し表示したり、図示しない人体検知センサーによりユーザーの接近を検知した際に、図４の初期画像を表示する。この初期画像は、ボタン表示域２０ＢＷに、預入ボタン２１ｂと、払出ボタン２２ｂと、口座間取引ボタン２３ｂの他、振込ボタン、自動払ボタン、残高照会ボタン、通帳記帳ボタン、宝くじボタンを含む。
【００２１】
預入ボタン２１ｂは、図４の初期画像において最初に押圧されると、ユーザーが用いる通帳ＢＴ或いはキャッシュカードＢＣに対応した預金口座への預入取引を行う旨を示し、ＡＴＭ１０の制御部４０は、最初の預入ボタン２１ｂの操作を経て、個別の預入取引の入力を受け付ける。払出ボタン２２ｂは、図４の初期画像において最初に押圧されると、ユーザーが用いる通帳ＢＴ或いはキャッシュカードＢＣに対応した預金口座からの払出取引を行う旨を示し、ＡＴＭ１０は、最初の払出ボタン２２ｂの操作を経て、個別の払出取引の入力を受け付ける。口座間取引ボタン２３ｂは、図４の初期画像において最初に押圧されると、ユーザーが用いる複数の通帳ＢＴ或いはキャッシュカードＢＣに対応した複数の預金口座についての複数口座間の現金取引を行う旨を示し、ＡＴＭ１０は、最初の口座間取引ボタン２３ｂの操作を経て、複数口座間の現金取引の入力を受け付ける。また、口座間取引ボタン２３ｂが操作された後の預入ボタン２１ｂの操作と払出ボタン２２ｂの操作は、複数口座間の現金取引の過程に含まれる預入取引入力、或いは払出取引入力となるが、その詳細については、後述する。
【００２２】
上記以外の振込ボタン、自動払ボタン、残高照会ボタン、通帳記帳ボタン、宝くじボタンは、既存のＡＴＭが備えるものと同一であり、各ボタンの操作を経て、ＡＴＭ１０は、公共料金等の自動支払、ユーザー指定の預金口座からの振込取引、残高照会取引、通帳記帳取引、宝くじ発行取引を行うが、これらについては、本発明の要旨と直接関係しないので、その詳細な説明については、これを省略する。
【００２３】
制御部４０は、図４の初期画像の表示を経てユーザーのボタン押圧操作を待機し、最初に押圧操作されたボタンが口座間取引ボタン２３ｂであるか否かを判定する（ステップＳ１１０）。ここで、最初に押圧操作されたボタンが口座間取引ボタン２３ｂではないと否定判定すると、制御部４０は、その押圧操作されたボタンに応じた個別の取引を実行し（ステップＳ１２０）、一旦、本ルーチンを終了する。例えば、最初に押圧操作されたボタンが預入ボタン２１ｂであると、制御部４０は、ユーザーが用いる通帳ＢＴ或いはキャッシュカードＢＣに対応した預金口座への預入取引を実行する。払出ボタン２２ｂ或いは振込ボタン、自動払ボタン、残高照会ボタン、通帳記帳ボタン、宝くじボタンのいずれかが最初に押圧操作されれば、制御部４０は、各ボタンに対応した個別の取引を実行する。
【００２４】
その一方、ステップＳ１１０にて最初に押圧操作されたボタンが口座間取引ボタン２３ｂであると肯定判定すると、制御部４０は、複数口座間の現金取引を行う旨の口座間取引開始入力を受けて、通帳ＢＴ或いはキャッシュカードＢＣの受付（媒体受付）に関連する口座間取引第１処理（ステップＳ２００）に続き、複数口座間の現金取引の取引内容の入力とその確定に関連する口座間取引第２処理（ステップＳ３００）、複数口座間の現金取引の取引内容に即したデータ処理に関連する口座間取引第３処理（ステップＳ４００）、複数口座間の現金取引の実行後の媒体払出に関連する口座間取引終了処理（ステップＳ５００）を順次実行する。図５は口座間取引第１処理に含まれる処理を示すフローチャート、図６は顧客パネル２０における媒体挿入案内画像への画像変遷の様子を示す説明図である。
【００２５】
制御部４０は、図４の初期画像においてユーザーの口座間取引ボタン２３ｂの押圧操作に基づく口座間取引処理開始入力があると、この入力によるステップＳ１１０での肯定判定に続き、顧客パネル２０の表示画像を図４の初期画像から図６下段の媒体挿入案内画像に変更制御し、ユーザーのボタン押圧操作を待機する（ステップＳ２１０）。図６下段の媒体挿入案内画像は、上段に、通帳取込開始ボタン２５ａと通帳取込終了ボタン２５ｂのボタン列を、その下段に、カード取込開始ボタン２６ａとカード取込終了ボタン２６ｂのボタン列を表示した画像であり、制御部４０は、ステップＳ２１０にて、この媒体挿入案内画像を顧客パネル２０に表示する。ユーザーは、この媒体挿入案内画像を視認しつつ、所望する口座間取引処理に用いる媒体として、通帳ＢＴとキャッシュカードＢＣのいずれか一方、或いは両者をＡＴＭ１０に挿入し、その挿入に先立って、通帳取込開始ボタン２５ａ或いはカード取込開始ボタン２６ａを押圧操作する。制御部４０は、通帳取込開始ボタン２５ａ或いはカード取込開始ボタン２６ａを押圧操作を受けて、通帳ＢＴ或いはキャッシュカードＢＣの入力を受け付け（ステップＳ２２０）、これらの媒体の受付、即ち通帳挿入孔１２から通帳保管カセット７２への通帳搬送に必要な通帳搬送機構７１、カセット内通帳搬送機構７３等の機器制御、或いはカード挿入孔１４からデータ読取機構８４へのカード搬送に必要なカード搬送機構８１、カード保管カセット８２等の機器制御を行う。
【００２６】
制御部４０は、媒体の入力受付に伴って、データ読取機構７４或いはデータ読取機構８４が通帳ＢＴ或いはキャッシュカードＢＣから読み取った金融機関コード、支店コード、口座番号、口座名義人氏名等の口座情報を入手し、これを口座間取引データ管理部４４により記憶する（ステップＳ２２０）。また、制御部４０は、媒体の入力受付に伴って、通帳スキャナー７５のスキャンした通帳表紙の媒体画像、或いはカセットスキャナー８５のスキャンしたカード表面の媒体画像を、受け付けた通帳ＢＴ或いはキャッシュカードＢＣごとに対応付けて収集する（ステップＳ２２０）。
【００２７】
次いで、制御部４０は、通帳ＢＴ或いはキャッシュカードＢＣのいずれかの媒体の受付が完了したか否かを、ユーザーによる通帳取込終了ボタン２５ｂ或いはカード取込終了ボタン２６ｂのボタン操作に基づいて判定する（ステップＳ２３０）。ここで、両終了ボタンが未操作であれば、ステップＳ４００は、ユーザーからの媒体挿入の受付と口座情報の記憶、媒体画像の収集（ステップＳ２２０）を通帳等の媒体ごとに継続し、終了ボタン操作があると、複数口座間の現金取引の取引内容の入力とその確定に関連する口座間取引第２処理（図３：ステップＳ３００）に移行する。この口座間取引第２処理以降の説明に当たっては、ユーザーは、四つの通帳ＢＴを用いた口座間現金取引において、一つの通帳ＢＴの預金口座から払出取引した現金を他の三つの通帳ＢＴに対応する預金口座に預入取引することを所望していると仮定して、以下、説明する。この仮定に立つと、制御部４０は、口座間取引第２処理に先立つ口座間取引第１処理のステップＳ２２０において、ユーザーが挿入した四つの通帳ＢＴにそれぞれ対応した預金口座についての口座情報の入力・記憶と、四つの通帳ＢＴの通帳表紙の媒体画像を収集済みである。図７は口座間取引第２処理に含まれる処理を示すフローチャート、図８は顧客パネル２０における取引内容入力案内画像への画像変遷の様子を示す説明図である。
【００２８】
ユーザーによる通帳取込終了ボタン２５ｂ或いはカード取込終了ボタン２６ｂのボタン操作に基づいて媒体受付を完了すると（ステップＳ２３０：肯定判定）、制御部４０は、顧客パネル２０の表示画像を図６の媒体挿入画像から図８下段の取引内容入力案内画像に口座間取引表示制御部４２により変更制御し、ユーザーのボタン押圧操作を待機する（ステップＳ３１０）。図８下段の取引内容入力案内画像は、画像表示域２０ＶＷに、ステップＳ２２０（図５参照）で収集済みの四つの通帳ＢＴ（以下、通帳ＢＴ１〜ＢＴ４）について通帳表紙の媒体画像２７ａ〜２７ｄを表示し、ボタン表示域２０ＢＷに、口座間取引処理において設定可能な預入取引と払出取引とについての預入ボタン２１ｂ、払出ボタン２２ｂの両ボタンを表示した画像であり、制御部４０は、ステップＳ３１０にて、この取引内容入力案内画像を顧客パネル２０に表示する。本実施形態では、最大で六個の通帳ＢＴ或いはキャッシュカードＢＣを口座間取引処理に含むことができるので、この場合には、画像表示域２０ＶＷに二つの媒体画像の表示余白が残ることになる。ユーザーは、図８下段の取引内容入力案内画像を視認しつつ、所望する口座間取引処理における預金口座の媒体画像２７ａ〜２７ｄを選択し、その選択した媒体画像２７ａ〜２７ｄに対応する預金口座について行う現金取引内容を、ボタン操作を経て入力する。この場合、図８下段の取引内容入力案内画像には、口座間取引処理において想定されない振込、通帳記帳等のボタンを含まないので、ユーザーは、入力可能な現金取引内容を容易に認識して、入力設定でき、利便性が高まる。図８下段の取引内容入力案内画像によれば、ユーザーは、口座名義人がそれぞれ異なり、金融機関についてはＡ銀行、Ｂ銀行、Ｃ銀行の四つの預金口座間の現金取引を所望している、ことになる。
【００２９】
制御部４０は、ユーザーによる媒体画像２７ａ〜２７ｄの選択と、その選択された媒体画像２７ａ〜２７ｄに対応する預金口座ごとの現金取引内容入力とを待機した上で、選択された媒体画像２７ａ〜２７ｄと現金取引内容とを記憶する（ステップＳ３１０）。このステップＳ３１０でのユーザー選択に伴う現金取引内容の記憶の様子とステップＳ３１０以降の処理について、ユーザーの実際のボタン操作を想定しつつ、説明する。
【００３０】
ユーザーは、自ら持参した四つの通帳ＢＴ１〜ＢＴ４の預金口座間の現金取引として、一つの通帳、例えば通帳ＢＴ１から払い出した現金（総額１２万円）を５万円、４万円、３万円に分けて他の三つの預金口座に預け入れする現金取引を所望しているとする。こうした口座間現金取引を所望するユーザーは、通帳挿入後に顧客パネル２０に表示される図８下段の取引内容入力案内画像を見て、払出対象としてユーザー自身が定めた預金口座に対応する通帳ＢＴ１の媒体画像２７ａを押圧操作した上で、払出取引に即した払出ボタン２２ｂを押圧操作する。制御部４０は、このユーザー操作を受けて、口座間取引処理の内の最初の取引処理は、通帳ＢＴ１に対応する預金口座からの払出取引であることを、ステップＳ３１０にて記憶する。
【００３１】
通常、多くの金融機関は、現金の払出取引には、暗証番号の入力とその照合が必要であるとしているものの、現金の預入取引には、暗証番号の入力は不要としていることがある。また、現金の払出取引と預入取引を問わず、ネットワークＮＴを介したＡＴＭ１０での現金取引には、暗証番号の他に、通帳ＢＴに加えてキャッシュカードＢＣを必要とする取り決めを行っている金融機関も有り得る。この場合、暗証番号が不要であれば、通帳ＢＴとキャッシュカードＢＣの両者が必要とされることはなく、通帳ＢＴかキャッシュカードＢＣの一方で取引可能となる。こうした取引実情を踏まえ、制御部４０は、ステップＳ３１０に続き、今回のユーザー指定の現金取引内容の取引を許可する際の暗証番号の要否判定（ステップＳ３２０）と、今回のユーザー指定の現金取引内容の現金取引を行う上でのキャッシュカードＢＣの要否判定（ステップＳ３３０）とを順次行う。
【００３２】
制御部４０は、ステップＳ３２０において、ステップＳ３１０で記憶した現金取引の内容に応じて暗証番号の要否を判定し、不要であると否定判定すると、後述のステップＳ３７０に移行する。その一方、ステップＳ３２０で暗証番号が必要であると肯定判定した上で、ステップＳ３３０でカードが必要であると肯定判定すると、制御部４０は、顧客パネル２０の表示画像をカード挿入案内画像に変更制御し、ユーザーの選択した媒体画像（例えば、媒体画像２７ａ）に対応する預金口座についてのキャッシュカードＢＣの挿入を待機する（ステップＳ３４０）。図９は顧客パネル２０におけるカード挿入案内画像への画像変遷の様子を示す説明図である。図示するように、今回の挿入案内は、キャッシュカードＢＣだけについての案内で足りることから、通帳に関しての取込開始・終了の各ボタンについては、その表示を行わない。よって、ユーザーへのカード挿入案内が確実となる。また、図示するように、カード挿入に関しての注意書きを表示することで、カード挿入をより効果的に促すことができる。なお、ステップＳ３２０での暗証番号の入力要否やステップＳ３３０でのカード要否の判定は、挿入済みの通帳ＢＴから読み取った口座情報を、通帳ＢＴの発行金融機関のホストコンピューターＨＣＡ等と照合することで決めることができる。或いは、ユーザー指定の現金取引が預入取引である等の理由で、暗証番号の入力を不要と判定したり、ユーザー指定の現金取引が払出取引である等の理由で、暗証番号の入力を必要と判定してもよい。
【００３３】
ユーザーは、図９下段のカード挿入案内画像を視認しつつ、先に選択した媒体画像（例えば、媒体画像２７ａ）に対応する預金口座のキャッシュカードＢＣをＡＴＭ１０に挿入し、その挿入に先立って、カード取込開始ボタン２６ａを押圧操作する。制御部４０は、既述したように、カード取込開始ボタン２６ａを押圧操作を受けてキャッシュカードＢＣの入力を受け付け、カード挿入孔１４からデータ読取機構８４へのカード搬送に必要な機器制御を行う。
【００３４】
制御部４０は、キャッシュカードＢＣの入力受付に伴って、データ読取機構８４からのキャッシュカードＢＣについての口座情報（口座情報データ）を入手し、これを記憶する（ステップＳ３５０）。この際、制御部４０は、カセットスキャナー８５によるカード表面の媒体画像収集は行わず、ユーザーによるカード取込終了ボタン２６ｂのボタン操作を待機する（ステップＳ３５０）。なお、ユーザーが通帳ＢＴではなくキャッシュカードＢＣのみを用いた現金取引を行うべく、ステップＳ１００の時点でキャッシュカードＢＣを挿入済みであれば、制御部４０は、上記のステップＳ３３０では否定判定し、ステップＳ３５０に移行する。
【００３５】
ユーザーのカード取込終了ボタン２６ｂの操作があると、制御部４０は、顧客パネル２０の表示画像を暗証番号入力案内画像に変更制御した上で、ユーザーのボタン押圧操作による暗証番号入力を待機する（ステップＳ３５０）。図１０は顧客パネル２０における暗証番号入力案内画像への画像変遷の様子を示す説明図である。図１０下段の暗証番号入力案内画像は、０〜９までの数値キーボタンと数値訂正キーボタン、完了キーボタンを含む画像であり、制御部４０は、ステップＳ３５０にて、この暗証番号入力案内画像を顧客パネル２０に表示する。制御部４０は、ユーザーによる暗証番号入力があると、その暗証番号を記憶する（ステップＳ３５０）。
【００３６】
こうした暗証番号の入力に続き、制御部４０は、受け入れた通帳ＢＴおよび挿入が求められたキャッシュカードＢＣに対応する預金口座の口座情報を照合して（ステップＳ３６０）、ステップＳ３５０で入力された暗証番号の真偽を判定する（ステップＳ３６５）。この口座情報は、ＡＴＭ１０とネットワークＮＴを介して接続されたホストコンピューターＨＣＡ等に記憶された預金口座特有の情報であり、当然に、正規の暗証番号を含んでいる。よって、制御部４０は、通帳ＢＴ或いはキャッシュカードＢＣから読み取った口座情報に基づいて、ホストコンピューターＨＣＡ等に記憶された口座情報を入手し、その入手した口座情報との照合を経て、暗証番号の真偽を判定する。制御部４０は、入力済み暗証番号が正しくないと否定判定すると、ステップＳ３５０に移行して、ユーザーからの正しい暗証番号の再入力を待機する。この場合、暗証番号の再入力があれば、ステップＳ３６０をスキップして、改めてステップＳ３６５にて再入力暗証番号の真偽を判定する。このループ処理が所定回繰り返されてもステップＳ３６５にて肯定判定できず、真正な暗証番号の入力を得られない場合、制御部４０は、今回の現金取引を終了する旨の表示を顧客パネル２０に行った上で、後述の口座間取引終了処理（ステップＳ５００）に移行して、挿入済みの通帳ＢＴやキャッシュカードＢＣの払出を行う。
【００３７】
一方、ステップＳ３６５にて暗証番号が正しいと肯定判定すると、顧客パネル２０の表示画像を取引金額入力案内画像に変更制御した上で、ユーザーのボタン押圧操作による取引金額の入力を待機する（ステップＳ３７０）。図１１は顧客パネル２０における取引金額入力案内画像への画像変遷の様子を示す説明図である。図１１下段の取引金額入力案内画像は、０〜９までの数値キーボタンと単位指定キーボタン、確定キーボタン、入力された取引金額表示を含む画像であり、制御部４０は、ステップＳ３７０にて、この取引金額入力案内画像を顧客パネル２０に表示する。制御部４０は、ユーザーによる取引金額の入力があると、その取引金額を記憶する（ステップＳ３７０）。なお、制御部４０は、数値キーボタン操作後の確定キーボタンの操作があると、ユーザーのキー入力した取引金額を、数値キー上段に表示する。これにより、ユーザーは、入力した取引金額を確認できる。
【００３８】
こうした取引金額の入力に続き、制御部４０は、ステップＳ２００の口座間取引第１処理（図５）で受け入れた全ての媒体、即ち、ステップＳ３１０にて図８下段に表示した全ての媒体画像２７ａ〜２７ｄについての入力が完了したか否かを判定する（ステップＳ３７５）。この判定は、図８下段の媒体画像のそれぞれについて、ステップＳ３２０〜３７０までの処理がなされたか否かで下される。ここまでの説明では、ユーザーは、通帳ＢＴ１の媒体画像２７ａの選択と、その後の取引内容指定、暗証番号入力等を行っているに過ぎないので、制御部４０は、ステップＳ３７５では否定判定を下してステップＳ３１０に移行し、ステップＳ３１０にて、改めて各通帳ＢＴごとの媒体画像２７ａ〜２７ｄを含む取引内容入力案内画像の表示と、ユーザーのボタン押圧操作の待機とを図る。図１２は顧客パネル２０における改めての取引内容入力案内画像の表示の様子を示す説明図である。この場合のステップＳ３１０では、通帳ＢＴ１についての必要な入力は完了していることから、図１２の取引内容入力案内画像の通帳ＢＴ１の媒体画像２７ａは、ユーザーが再度この媒体画像を選択しないように、ボタン表示形態を変更していると共に、媒体画像２７ａに、入力済みの取引内容（払出取引）とその取引金額（１２万円）が含まれて表示されている。これにより、ユーザーは、自らが既に行った取引内容とその金額を視認できる。
【００３９】
ユーザーは、図１２の取引内容入力案内画像を見ながら、残りの三つの通帳ＢＴ２〜ＢＴ４のそれぞれについて、順次、取引内容の指定、取引金額の設定とを行うべく、次の通帳、例えば通帳ＢＴ２の媒体画像２７ｂを押圧操作した上で、預入取引に即した預入ボタン２１ｂを押圧操作する。制御部４０は、このユーザー操作を受けて、口座間取引処理の内の次の取引処理は、通帳ＢＴ２に対応する預金口座への預入取引であることを、ステップＳ３１０にて記憶する。その後、制御部４０は、ステップＳ３２０〜Ｓ３７０までの処理を、通帳ＢＴ２について繰り返す。この通帳ＢＴ２について、ユーザーは預入取引として指定済みなので、制御部４０は、ステップＳ３２０では預入取引につき暗証番号不要と判定して、ステップＳ３７０に移行し、図１１下段の取引金額入力案内画像の表示を経てユーザーからの取引金額（預入金額）の入力を待機する。仮に、通帳ＢＴ２における預入取引に暗証番号が必要であれば、制御部４０は、ステップＳ３３０からの処理を既述したように繰り返す。
【００４０】
制御部４０は、図１２にてユーザーが選択した媒体画像２７ｂについての通帳ＢＴ２の取引内容（預入取引）と預入金額（５万円）との入力を受けると、改めて、ステップＳ３１０にて図８下段に表示した全ての媒体画像についての入力が完了したか否かを判定する（ステップＳ３７５）。この場合は、未だ通帳ＢＴ３〜ＢＴ４についての媒体画像２７ｃ〜２７ｄの選択と、その後の取引内容指定等が完了していないので、制御部４０は、改めてステップＳ３７５で否定判定してステップＳ３１０に移行し、既述したように、通帳ＢＴ３〜ＢＴ４についての媒体画像２７ｃ〜２７ｄの選択と、その後の取引内容指定等を待機する。こうして、ユーザー自ら持参した全ての通帳ＢＴ１〜ＢＴ４について必要なユーザー入力が完了すると、制御部４０は、ステップＳ３７５にて肯定判定して、口座間取引第２処理を抜け、これに続く口座間取引第３処理に移行する。
【００４１】
図１３は口座間取引第３処理と口座間取引終了処理に含まれる処理を示すフローチャートである。制御部４０は、図７の口座間取引第２処理におけるステップＳ３７５での肯定判定に続き、口座間取引第３処理の当初の処理として、顧客パネル２０に取引内容一覧の画像を表示する（ステップＳ４１０）。図１４は口座間取引第３処理に伴う顧客パネル２０における取引内容一覧画像の表示の様子を示す説明図である。図示するように、この一覧には、ユーザー自ら持参した全ての通帳ＢＴ１〜ＢＴ４について、ユーザー指定の現金取引内容（預入取引・払出取引）とその金額が合わせて表示される。よって、ユーザーは、自ら持参した全ての通帳について必要な入力を済ますと、各通帳について自ら指定した現金取引内容（預入取引・払出取引）とその金額を視認できる。
【００４２】
制御部４０は、取引内容一覧画像の表示に続き、ユーザー指定の現金取引内容（預入取引・払出取引）について、入出金の金額が合致しているか否かを、預入取引金額の総額と払出取引金額の総額とを対比して判定する（ステップＳ４１５）。図１４に示す取引内容一覧では、入出金金額が合致しているので、制御部４０は、肯定判定して後述のステップＳ４３０に移行する。その一方、制御部４０は、入出金金額が不一致であるとしてステップＳ４１５で否定判定すると、既に表示済みの取引内容一覧画像に金額不一致な旨の警告記号を重畳表示して、ユーザーに現金取引金額の訂正を促し、その訂正を待機する（ステップＳ４２０）。図１５は入出金金額が不一致の場合の取引内容一覧画像の一例を示す説明図である。ユーザーは、警告記号の表示を見て、金額訂正を行う通帳ＢＴ１〜ＢＴ４のいずれかについての媒体画像２７ａ〜２７ｄを選択する。制御部４０は、この媒体画像選択を受けて、その選択された媒体画像についての通帳ＢＴ１〜ＢＴ４を記憶した上で、図１１下段の取引金額入力案内画像を再表示して、当該画面でのユーザーによる金額訂正を待機する。ユーザーが数値キーボタンにより金額を訂正すると、その訂正後の金額を更新して記憶すると共に、取引内容一覧画像においても訂正表示する。
【００４３】
上記した金額訂正の続き、或いは、入出金金額が一致していた場合には、制御部４０は、取引内容一覧画像に含まれる確認ボタン２８ｂのユーザー操作を待機する（ステップＳ４３０）。ここで、確認ボタン２８ｂのユーザー操作があると、制御部４０は、ユーザーが持参した通帳ＢＴ１〜ＢＴ４に対応する複数の預金口座間の現金取引を、今までの処理にて決定した現金取引内容（預入取引・払出取引）ごとに、ユーザー指定の払出金額での現金払出取引とユーザー指定の預入金額での現金預入取引とに必要なデータ処理を口座間取引処理部４６により順次実行する（ステップＳ４４０）。上記した一連の現金取引であれば、制御部４０は、まず、通帳ＢＴ１に対応するＡ銀行の預金口座であって、口座名義人が「Ｘｘｘ  ｘｘ」殿の預金口座から、ユーザー指定の払出金額（１２万円）の現金を払い出したことに即したデータを取り扱う。次いで、制御部４０は、通帳ＢＴ２に対応するＢ銀行の預金口座であって、口座名義人が「Ｘｘｘ  ｙｙ」殿の預金口座に、ユーザー指定の預入金額（５万円）の現金を預け入れたことに即した取引データを取り扱う。同様に、制御部４０は、通帳ＢＴ３〜ＢＴ４に対応する預金口座についても、それぞれ３万円、５万円の現金預入に即した取引データを取り扱う。本実施形態では、上記の各口座についての口座情報は、各金融機関のホストコンピューターＨＣＡ等で行うので、制御部４０は、上記の取引データを、預金口座に対応した金融機関のホストコンピューターＨＣＡ等に送信する。
【００４４】
ここまでの一連の処理は、ユーザーがキャッシュカードＢＣだけを持参して口座間の現金取引を行うカードのみ口座間取引の場合と、ユーザーが通帳ＢＴとキャッシュカードＢＣとを持参して口座間の現金取引を行う通帳・カード混在口座間取引の場合とでも同じように実行される。具体的には、カードのみ口座間取引の場合、制御部４０は、図６下段の媒体挿入画像のカード取込開始ボタン２６ａのユーザー操作を受けて、複数のキャッシュカードＢＣの入力を受け入れ（ステップＳ２２０）、その受け入れたキャッシュカードＢＣのカード表面の媒体画像を、図８下段の取引内容入力案内画像における画像表示域２０ＶＷに表示する（ステップＳ３１０）。通帳・カード混在口座間取引の場合であれば、制御部４０は、通帳ＢＴとキャッシュカードＢＣの両媒体を受け入れ（ステップＳ２２０）、図８下段の取引内容入力案内画像における画像表示域２０ＶＷには、受け入れた通帳ＢＴの通帳表面の媒体画像と、受け入れたキャッシュカードＢＣのカード表面の媒体画像とを合わせて表示する（ステップＳ３１０）。
【００４５】
その後の処理では、カードのみ口座間取引の場合、制御部４０は、図７のステップＳ３３０〜Ｓ３４０をスキップし、通帳・カード混在口座間取引の場合には、図７のステップＳ３３０〜Ｓ３４０を実行する。これは、払出取引を行う場合に、キャッシュカードＢＣが既述したように必要とされる場合があるからである。図７のステップＳ３５０以降の各処理については、カードのみ口座間取引でも通帳・カード混在口座間取引でも、既述した通りである。
【００４６】
制御部４０は、上記したステップＳ４４０のデータ処理に続き、口座間取引終了処理として、受付済み媒体の払出処理を実行して（ステップＳ５１０）、全ての処理を終了し、次回の現金取引に備える。この媒体払出処理は、図５のステップＳ２１０で受け入れた通帳ＢＴやキャッシュカードＢＣ、および図７のステップＳ３４０で受け入れたキャッシュカードＢＣをユーザーに順次、払い出す処理である。受け入れた媒体が通帳ＢＴだけであれば、制御部４０は、通帳保管カセット７２に受け入れた複数の通帳ＢＴを、その上段側から、カセット内通帳搬送機構７３により運び出して通帳搬送機構７１に受け渡し、ユーザーに払い出す。この際、制御部４０は、払い出させる通帳ＢＴが通帳記帳機構７６を通過する際に、その通帳ＢＴについて行った現金取引内容とその金額を記帳する。例えば、上記した通帳ＢＴ４の払出の際には、この通帳ＢＴ４に、Ｃ銀行の預金口座への記帳フォーマットに即して、４万円の現金預入取引を通帳記帳する。なお、金融機関ごとの記帳フォーマットは、既述したように、通帳発行の金融機関のホストコンピューターＨＣＡ等から入手済みである。通帳ＢＴ４に続いて順次払い出される通帳ＢＴ３〜ＢＴ１についても同様である。
【００４７】
受け入れた媒体がキャッシュカードＢＣだけのカードのみ口座間取引の場合であれば、制御部４０は、カード保管カセット８２に受け入れた複数のキャッシュカードＢＣを、その上段側から、カセット内カード搬送機構８３により運び出してカード搬送機構８１に受け渡し、ユーザーに払い出す。この際、制御部４０は、払い出させるキャッシュカードＢＣについて行った現金取引内容とその金額を印字した明細票を明細票機構部５４にて発行し、当該明細票についてもユーザーに払い出す。受け入れた媒体が通帳ＢＴとキャッシュカードＢＣの混在の通帳・カード混在口座間取引の場合であれば、制御部４０は、まず、受け入れた通帳ＢＴの払出と通帳記帳を完了し、その後に、受け入れたキャッシュカードＢＣの払出と必要な明細票払出を行う。なお、制御部４０は、既述したステップＳ３６５にて暗証番号が真正でないとした後の媒体払出では、通帳記帳や明細票発行を行うことなく、順次、媒体をユーザーに払い出す。
【００４８】
以上説明した構成を備える本実施形態のＡＴＭ１０は、複数の預金口座間での現金取引や既存の個別の現金取引に当たり、顧客パネル２０に、図４に示す初期画像を表示する。この初期画像は、既存の個別の現金取引で用いられる預入ボタン２１ｂや払出ボタン２２ｂといった種々のボタンの他、複数の預金口座についての複数口座間の現金取引を行う旨の口座間取引ボタン２３ｂを含む。これにより、本実施形態のＡＴＭ１０は、図４に示す初期画像において口座間取引ボタン２３ｂのユーザー操作がなされると、ユーザー所望の複数の預金口座の個々に対応した通帳ＢＴやキャッシュカードＢＣの挿入を受け付ける（ステップＳ２２０）。この際、本実施形態のＡＴＭ１０は、受け付けた複数の通帳ＢＴ或いはキャッシュカードＢＣから、それぞれの通帳ＢＴやキャッシュカードＢＣが記憶済みの口座情報を媒体情報としてデータ読取機構７４やデータ読取機構８４により読み取る（ステップＳ２２０）。この読み取った口座情報は、金融機関コード、支店コード、口座番号、口座名義人氏名等を含んでおり、取引対象となる複数の預金口座の特定に用いられる。本実施形態のＡＴＭ１０は、媒体画像の収集と共に、通帳スキャナー７５或いはカセットスキャナー８５により、受け付けた通帳ＢＴごとの通帳表紙の媒体画像或いはカード表面の媒体画像を収集する（ステップＳ２２０）。この媒体画像は、通帳表紙或いはカード表面のものであって、金融機関コード、支店コード、口座番号、口座名義人氏名等を写し込んでいるため、ユーザーは、自らが持ち込んだ複数の通帳ＢＴ或いはキャッシュカードＢＣに対応する預金口座を、媒体画像を見て容易に且つ確実に特定できる。
【００４９】
本実施形態のＡＴＭ１０は、収集した通帳ＢＴ或いはキャッシュカードＢＣの媒体画像を、受け付けた通帳ＢＴ或いはキャッシュカードＢＣごとに顧客パネル２０に表示して（ステップＳ３１０）、図８下段の取引内容入力案内画像をユーザーに提供し、口座間の現金取引に必要なユーザー入力を待機する。これにより、ユーザーは、図８下段の取引内容入力案内画像に含まれる媒体ごとの媒体画像を自ら視認して、その表示された媒体画像を自ら選択した上で、その選択した媒体画像に対応する預金口座について行う現金取引内容（払出取引・預入取引）と取引金額とを入力し、必要に応じて、暗証番号についてもこれを入力する（ステップＳ３１０〜３７０）。
【００５０】
本実施形態のＡＴＭ１０は、図８下段の取引内容入力案内画像における媒体画像のユーザー自らの視認の上での選択と、その後の現金取引内容（払出取引・預入取引）と取引金額とのユーザー入力を経た後に、選択された媒体画像に対応する預金口座についての正規の暗証番号を含む口座情報データの照合を経て暗証番号の真偽を判定する（ステップＳ３６５）。そして、本実施形態のＡＴＭ１０は、暗証番号が必要である場合に、入力済み暗証番号が正しい場合に限って、ユーザー自らが媒体画像を視認しながら選択した媒体画像に対応する通帳ＢＴ１〜ＢＴ４のそれぞれの預金口座について、ユーザーからの入力を受けた現金取引内容（預入取引・払出取引）ごとに払出金額での現金払出を行った場合のデータ処理と現金預入を行った場合のデータ処理とを順次実行する（ステップＳ４４０）。この結果、本実施形態のＡＴＭ１０によれば、複数の通帳ＢＴ１〜ＢＴ４や複数のキャッシュカードＢＣを用いて自ら取引処理を完結することを所望するユーザーに対して、そのユーザーが所望する複数の預金口座間の現金取引を、その取引過程をユーザーに視認させた上で、実行できるので、利便性や汎用性が高まる。
【００５１】
本実施形態のＡＴＭ１０は、ユーザーが入力した現金取引内容の現金取引を行うに当たり、例えば、預入取引であることから暗唱番号の入力が無用であれば（ステップＳ３２０：否定判定）、図８下段の取引内容入力案内画像における媒体画像のユーザー自らの視認の上での取引内容のユーザー入力を経た後に、暗証番号の真偽判定を行うことなく、ユーザーからの入力を受けた現金取引内容の現金取引に必要なデータ処理を行う。
【００５２】
本実施形態のＡＴＭ１０は、ユーザー自らが持ち込んだ複数の通帳ＢＴ或いはキャッシュカードＢＣの通帳表紙またはカード表面をスキャンして得た媒体画像を顧客パネル２０に表示する。よって、ユーザーは、媒体画像に写り込んだ金融機関コード、支店コード、口座番号、口座名義人氏名等を視認しながら、現金取引の入力をできるので、利便性が高まると共に、入力ミスについてもこれを軽減できる。
【００５３】
本実施形態のＡＴＭ１０は、図８下段の取引内容入力案内画像において、ユーザーに、ユーザー持ち込みの複数の通帳ＢＴ或いはキャッシュカードＢＣの媒体画像と共に、口座間取引においてユーザーが行うことのできる現金取引内容としての預入と払出に対応する預入ボタン２１ｂと払出ボタン２２ｂの両ボタンしか表示しない。よって、ユーザーは、この表示されたボタン操作を行うことで、確実に、ユーザー所望の現金取引を指定でき、ボタン操作に迷わないようにできる。このことは、利便性の向上に寄与する。
【００５４】
本実施形態のＡＴＭ１０は、ユーザーが複数の預金口座間の現金取引内容を通帳ＢＴごとに指定するに当たり、一つの通帳ＢＴについての現金取引内容の指定が済むと、次の通帳ＢＴについての現金取引内容の指定に際しては、図１２の取引内容入力案内画像において、取引内容指定済みの通帳ＢＴ（図では通帳ＢＴ１）の媒体画像に入力済みの取引内容（払出取引）とその取引金額（１２万円）を含むようにして、他の媒体画像と表示形態を異なるものにしている。よって、ユーザーは、自らが既に行った取引内容とその金額を視認しながら、他の通帳ＢＴについての媒体画像選択と現金取引内容の指定を行うことができるので、より利便性が高まる。
【００５５】
本実施形態のＡＴＭ１０は、口座間取引をユーザーが指定するに当たり、その指定した現金取引に暗証番号が必要であると判定すると（ステップＳ３２０）、ユーザーに暗証番号の入力を求め、その入力された暗証番号を金融機関のホストコンピューターＨＣＡ等の口座情報データと照合して、真偽を判定する（ステップＳ３６５）。そして、本実施形態のＡＴＭ１０は、入力暗証番号が正しい場合に限って、ユーザー指定の現金取引に必要なデータ処理を行うので、既存のＡＴＭと同程度のセキュリティーを確保した上で、複数の口座間取引を実行できる。
【００５６】
本実施形態のＡＴＭ１０は、ユーザー自らが持ち込んだ複数の通帳ＢＴ１〜ＢＴ４に対応する複数の預金口座間の現金取引についてのデータ処理の後に、それぞれの通帳ＢＴ１〜ＢＴ４に、現金取引内容とその金額を記帳する。よって、本実施形態のＡＴＭ１０によれば、通帳記帳を所望するユーザーの希望に添うことができる。また、本実施形態のＡＴＭ１０は、ユーザーが持ち込んだ複数の通帳ＢＴ１〜ＢＴ４に対応する預金口座の金融機関が相違していても（図８下段の取引内容入力案内画像参照）、各金融機関ごとの記帳フォーマットを入手して、その入手した記帳フォーマットで記帳を行う。よって、記帳済みの通帳を見るユーザーに違和感を与えない。
【００５７】
次に、複数の預金口座間の現金取引を想定した上で、特定の預金口座からの払出取引と特定の預金口座への預入取引を許可するよう予め定められた特有の口座間取引用暗証番号を用いた処理について説明する。図１６は口座間取引用暗証番号の設定の様子を示す説明図である。図示するように、ユーザーは、Ａ銀行の口座名義人「Ｘｘｘ  ｘｘ」の預金口座を払出口座と定め、預入口座を、Ａ銀行の口座名義人「Ｘｘｘ  ｚｚ」の預金口座、Ｂ銀行の口座名義人「Ｘｘｘ  ｙｙ」の預金口座およびＣ銀行の口座名義人「Ｘｘｘ  ｓｓｓ」の預金口座に定める。こうして定めた口座をＡ銀行に届け出る。Ａ銀行は、この届け出を受理すると、Ａ銀行の口座名義人「Ｘｘｘ  ｘｘ」の預金口座からの払出取引と、Ａ銀行の口座名義人「Ｘｘｘ  ｚｚ」の預金口座への預入取引、Ｂ銀行の口座名義人「Ｘｘｘ  ｙｙ」の預金口座への預入取引およびＣ銀行の口座名義人「Ｘｘｘ  ｓｓｓ」への預入取引とがセットになった複数口座間取引を許可する特有の口座間取引用暗証番号を発行し、これを、Ａ銀行の口座名義人「Ｘｘｘ  ｘｘ」の預金口座と対応付けて自行のホストコンピューターＨＣＡのデータベースに記憶する。
【００５８】
上記の口座間取引用暗証番号の発行を受けたユーザーは、Ａ銀行の口座名義人「Ｘｘｘ  ｘｘ」の通帳ＢＴ１と、Ａ銀行の口座名義人「Ｘｘｘ  ｚｚ」の通帳ＢＴ２と、Ｂ銀行の口座名義人「Ｘｘｘ  ｙｙ」の通帳ＢＴ３と、Ｃ銀行の口座名義人「Ｘｘｘ  ｓｓｓ」の通帳ＢＴ４とをＡＴＭ１０に持参して、これら口座間での既述した現金取引を行う。ＡＴＭ１０は、既述したようにこれら通帳ＢＴ１〜ＢＴ４を受け付け、図８下段の取引内容入力案内画像をユーザーに提示し（ステップＳ３１０）、ユーザー入力を待機する。この場合、ユーザーは、払出取引のＡ銀行の口座名義人「Ｘｘｘ  ｘｘ」の通帳ＢＴ１についての暗証番号に代え、口座間取引用暗証番号を入力する。この口座間取引用暗証番号の入力を受けたＡＴＭ１０は、ネットワークＮＴを介したＡ銀行のホストコンピューターＨＣＡとの間でのデータ照合を経て、口座間取引用暗証番号の真偽を判定し、その判定結果に応じて、既述した処理を実行する。この場合、ユーザーが誤って上記と異なる口座名義人の通帳をＡＴＭ１０に挿入したとすると、入力された口座間取引用暗証番号に対応しない口座名義人が含まれることから、ＡＴＭ１０は、口座間取引用暗証番号に間違いがあるとして、通帳をユーザーに払い出す。このように、複数口座間取引を許可する特有の口座間取引用暗証番号を用いても、ＡＴＭ１０において、複数口座間の現金取引を行うことができる。
【００５９】
本発明は、上述の実施形態に限られるものではなく、その趣旨を逸脱しない範囲において種々の構成で実現することができる。例えば、発明の概要の欄に記載した各形態中の技術的特徴に対応する実施形態の技術的特徴は、上述の課題の一部又は全部を解決するために、或いは、上述の効果の一部又は全部を達成するために、適宜、差し替えや、組み合わせを行うことが可能である。また、その技術的特徴が本明細書中に必須なものとして説明されていなければ、適宜、削除することが可能である。この他、本発明は、特許請求の範囲に記載した形態以外の種々の形態で実現することも可能であり、例えば、自動取引装置を含む取引処理システムとしての形態、ＡＴＭ１０にて行われる複数口座間取引処理の各ステップを実行する複数口座間取引方法としての形態、複数口座間取引処理の各ステップを機能として実現するコンピュータープログラムとしての形態、このコンピュータープログラムを記憶した記憶機器として形態やこのコンピュータープログラムを記録した印刷媒体等の形態等で実現することが可能である。
【００６０】
上記の実施形態では、図１１下段に示した取引金額入力案内画像の表示と金額入力待機（ステップＳ３７０）を、暗証番号の判定後に行ったが、ステップＳ３１０での媒体画像表示と取引内容の入力待機に続いて行うようにしてもよい。この場合には、図８下段の取引内容入力案内画像の表示とユーザー入力に続き、図１１下段の取引金額入力案内画像の表示と金額入力待機とを行えばよい。そして、ユーザーの金額入力後に、暗証番号の要否判定を行えばよい。
【００６１】
上記の実施形態では、ユーザーが持ち込んだ通帳ＢＴやキャッシュカードＢＣをスキャンして媒体画像を作成したが、通帳ＢＴやキャッシュカードＢＣから読み込んだ口座情報データに基づいて、金融機関名、支店名、口座名義人等を含む媒体画像を生成してもよい。この際、金融機関から通帳表紙画像データやカード表面画像データをネットワークＮＴを介して取り込み、この画像データに口座名義人等のデータを重畳して媒体画像を生成してもよい。
【００６２】
上記の実施形態では、図８下段の取引内容入力案内画像に示したように、複数の預金口座間の現金取引を行うに当たり、口座名義人がそれぞれ異なり、金融機関についても異なるものを例示したが、同一口座名義人の異なる複数の通帳ＢＴについての口座間取引、同一金融機関取扱の複数の通帳ＢＴについての口座間取引にも対応している。
【００６３】
なお、前述した各実施形態における構成要素の中の、請求項で記載された要素以外の要素は、付加的な要素であり、適宜省略可能である。
【符号の説明】
【００６４】
１０…自動取引装置（ＡＴＭ）
１２…通帳挿入孔
１４…カード挿入孔
１５…取引明細排出口
１６…硬貨投入口
１８…紙幣投入口
２０…顧客パネル
２０ＢＷ…ボタン表示域
２０ＶＷ…画像表示域
２１ｂ…預入ボタン
２２ｂ…払出ボタン
２３ｂ…口座間取引ボタン
２５ａ…通帳取込開始ボタン
２５ｂ…通帳取込終了ボタン
２６ａ…カード取込開始ボタン
２６ｂ…カード取込終了ボタン
２７ａ〜２７ｄ…媒体画像
２８ｂ…確認ボタン
４０…制御部
４２…口座間取引表示制御部
４４…口座間取引データ管理部
４６…口座間取引処理部
５０…紙幣・硬貨搬送機器群
５２…紙幣・硬貨機構部
５４…明細票機構部
５６…回線接続部
７０…通帳機構部
７１…通帳搬送機構
７２…通帳保管カセット
７３…カセット内通帳搬送機構
７４…データ読取機構
７５…通帳スキャナー
７６…通帳記帳機構
８０…カード機構部
８１…カード搬送機構
８２…カード保管カセット
８３…カセット内カード搬送機構
８４…データ読取機構
８５…カセットスキャナー
１００…現金取引処理システム
ＢＣ…キャッシュカード
ＮＴ…ネットワーク
ＨＣＡ…ホストコンピューター
ＨＣＡ…ホストコンピューター
ＢＴ、ＢＴ１〜ＢＴ４…通帳
【図１】
2015022455.tif 000003
【図２】
2015022455.tif 000004
【図３】
2015022455.tif 000005
【図４】
2015022455.tif 000006
【図５】
2015022455.tif 000007
【図６】
2015022455.tif 000008
【図７】
2015022455.tif 000009
【図８】
2015022455.tif 000010
【図９】
2015022455.tif 000011
【図１０】
2015022455.tif 000012
【図１１】
2015022455.tif 000013
【図１２】
2015022455.tif 000014
【図１３】
2015022455.tif 000015
【図１４】
2015022455.tif 000016
【図１５】
2015022455.tif 000017
【図１６】
2015022455.tif 000018